(57)【要約】【課題】操作ボックスの扉を外さなくても、乗り降りの際にも操作ボックスの扉が破損しない、エレベータの操作盤装置を提供する。【解決手段】エレベータ操作盤表板１の開口部に設置された操作ボックス４の蝶番付けされた扉２に関し、扉２が開く方向と逆方向にトルクが生じるように、一端を前記扉に、もう一端を前記開口部に取着したトーションバネ８を有するため、扉２は外力がなければ常に閉まった状態になるため、人や物が当たることがなくなり、乗り降りの際にも操作ボックス４の扉２が破損しない。【選択図】          図２
2004161397.tif 000002
【特許請求の範囲】
【請求項１】
開口部を有し、該開口部に操作ボックスが埋設されたエレベータの操作盤表板と、
前記開口部に軸着され、閉じたときは前記開口部を覆い、操作盤に向かって手前側に引いて開ける前記操作ボックスの扉と、
前記扉が開いた状態で扉が閉じる方向にトルクを生じる付勢手段と、
を有することを特徴とするエレベータの操作盤。
【請求項２】
前記開口部と、前記扉とを係合する回転軸と、
前記開口部に取着し前記回転軸を軸止する第１の軸止手段と、
前記扉に取着し前記回転軸を軸止する第２の軸止手段と、
を有することを特徴とする請求項１に記載のエレベータの操作盤。
【請求項３】
前記付勢手段がねじりばねであることを特徴とする請求項１または請求項２に記載のエレベータの操作盤。
【請求項４】
前記第２の軸止手段が前記回転軸が貫通可能な孔を有し、
前記扉を前記回転軸と平行に動かし、前記回転軸から前記第２の軸止手段の孔を抜脱して、前記開口部と前記扉との係合を解除することを特徴とする請求項２または請求項３に記載のエレベータの操作盤。
【請求項５】
同一の回転軸で係合された前記第１の軸止手段と前記第２の軸止手段との間に回転軸方向に伸縮する弾性体を有することを特徴とする請求項２〜請求項４のいずれかに記載のエレベータの操作盤。
【発明の詳細な説明】
【０００１】
【発明の属する技術分野】
本発明は、エレベータの操作盤に関する。
【０００２】
【従来の技術】
従来のエレベータの操作盤は、管理者のみが使用できるスイッチ類を操作ボックス内に設け、通常は操作ボックスの扉を鍵などで閉じている。しかし、この操作ボックスの扉は軸着されており、開放時に扉が手前に出っ張るため、乗り降りの際に荷物に当たり、荷物や扉が破損することがある。そこで破損を避けるために、扉の開放時には扉を着脱していた（例えば、特許文献１参照）。
【０００３】
【特許文献１】
特開２００１−２５３６５４号公報。
【０００４】
【発明が解決しようとする課題】
上記のような、従来のエレベータの操作盤装置では、操作ボックスの扉を開閉する度に扉を着脱するため、手間と時間がかかるという問題点があった。
【０００５】
本発明は、かかる問題点を解消するためになされたもので、操作ボックスの扉を外さなくても、乗り降りの際にも操作ボックスの扉が破損しない、エレベータの操作盤を提供することを目的とする。
【０００６】
【課題を解決するための手段】
この発明にかかるエレベータの操作盤は、開口部を有し、該開口部に操作ボックスが埋設されたエレベータの操作盤表板と、開口部に軸着され、閉じたときは開口部を覆い、操作盤に向かって手前側に引いて開ける操作ボックスの扉と、前記扉が開いた状態で扉が閉じる方向にトルクを生じる付勢手段と、を有するものである。
【０００７】
【発明の実施の形態】
実施の形態１．
以下、本発明の実施の形態の一例を、図を用いて説明する。
【０００８】
図１は、本発明の実施の形態１によるエレベータのカゴに設けられた操作盤全体の正面図で、図１において、エレベータのカゴに設けられた操作盤１には、中央部に利用者が乗降階の指定やカゴ扉の開閉を制御するため釦が配された操作パネル１９が、下部に通常はシリンダー錠３がかけられた操作ボックスの扉２が、最下部にはボトムカバー２０が配置されている。扉２を開いた開口部には、管理・点検の実施者が操作するためのスイッチ類を有す操作ボックスが設置されている。
【０００９】
図２は、エレベータの操作盤に設けられた操作ボックスの正面透過図である。図２において、上部の盤側軸ガイド７ａおよび下部の盤側軸ガイド７ｂは扉２の奥の開口部に、上部の扉側軸ガイド１２ａおよび下部の扉側軸ガイド１２ｂは扉２にそれぞれ取着られ、扉２が回動するように上部の回転軸６ａおよび下部の回転軸６ｂをそれぞれ軸支している。トーションバネ８は回転軸６ａを貫通し、トーションバネ上端８ａは、扉２に取着された留め金具１４で扉２に掛止され、トーションバネ下端８ｂは盤側軸ガイド７ａに固着されて、扉２の可動域では、扉２が閉まる方向にトルクが発生するように設置されている。圧縮バネ９は回転軸６ｂを貫通し、盤側軸ガイド７ｂと扉側軸ガイド１２ｂとの間に設置され、扉２のガタつきを防止している。
【００１０】
本実施の形態で示した、上部の盤側軸ガイド７ａおよび下部の盤側軸ガイド７ｂは、第１の軸止手段の一例であるが、これに限定するものではない。また、上部の扉側軸ガイド１２ａおよび下部の扉側軸ガイド１２ｂは、第２の軸止手段の一例であるが、これに限定するものではない。また、トーションバネ８はねじりばねの一例であるが、これに限定するものではなく、例えばぜんまいを用いてもよい。また、圧縮バネ９は回転軸方向に伸縮する弾性体の一例であるが、これに限定するものではなく、例えば代わりに板状の弾性体を用いても良く、扉２のガタを許すなら圧縮バネ９を省いた構造でもよい。
【００１１】
また、本実施の形態では、トーションバネ上端８ａは、留め金具１４に引っ掛けて固定しているが、扉２自体に切り欠きや孔を形成して引っ掛けるようにしてもよいし、留め金具１４の代わりに磁石を設置してトーションバネ上端８ａを吸着する構造にしてもよく、留め方を限定するものではい。また、トーションバネ下端８ｂについても掛止させてもよく、留め方を限定するものではない。
【００１２】
図３は図１のＡ−Ａ断面図で、図３において、シリンダー錠３はシリンダー矢１３を有し、鍵１０によって回動するときガイド１１に沿って動き、シリンダー矢１３の位置によって扉２は、開放または閉じた状態でロックされる。例えば、扉２を閉めた状態で、シリンダー矢１３を回転させ径の長い部位が操作パネル１９にかかるようにすれば、扉２は閉じた状態でロックできる。
【００１３】
図４は、図３の扉２が開いた図で、操作ボックス４に設置された管理・点検用のスイッチ５が使用できるようになる。このときトーションバネ上端８ａは図３から回転軸６ａを中心に扉２を開く方向に９０度強回転しているため、トーションバネ８には回転軸６ａを中心に扉２を閉める方向にトルクが発生し、扉２を開放すると図３の閉じた位置に自動的に戻る。
【００１４】
このように本実施の形態では、エレベータ操作盤表板の開口部に操作ボックス手前側に引いて開ける前記操作ボックスの扉が蝶番付けされ、扉が閉じた状態で扉が開く方向と逆方向にトルクが生じるように、一端を前記扉に、もう一端を前記開口部に取着したねじりばねを有するため、開いた扉は外力の保持がなくなると、自動的に閉まるため、人や物が当たることがなくなり、乗り降りの際にも操作ボックスの扉が破損しない。
【００１５】
実施の形態２．
以下、本発明の実施の形態の一例を、図を用いて説明する。
【００１６】
エレベータの操作ボックスは、通常は長時間開放することはないので、操作ボックス内の装置を操作した後は、図２について実施の形態１に示したように自動的に速やかに閉まると便利である。しかし、点検・修理の際には長時間連続で操作ボックスの扉を開放する必要があるが、その間、扉を保持しておかねばならないため作業効率が悪くなる。そのため、このように長時間連続で操作ボックスの扉を開放する場合は、扉を取り外して作業ができると作業効率が上がる。
【００１７】
図５（ａ）〜（ｄ）は、図２に示したエレベータの操作盤の操作ボックスの扉を取り外す手順の例である。図中、図２と同一符号は同一、または相当部分を示し説明を省略する。
【００１８】
図５（ａ）は、図４に示したように扉２を開放し、ボトムカバー２０を取り外した状態の図である。ここでボトムカバー３は、扉２を開放しないと取り外すことができないようにしてある。（ａ）の状態ではトーションバネ上端８ａが留め金具１４と係合している。
【００１９】
次に図５（ｂ）では、トーションバネ上端８ａが留め金具１４から外され、扉２が回転軸６ａ方向に押し下げた状態の図である。（ａ）で、扉側軸ガイド１２ａより下部に回転軸６ａの遊びがあったが、（ｂ）ではなくなっている。また、回転軸６ｂの装着された圧縮バネ９は、扉側軸ガイド１２ｂと盤側軸ガイド７ｂに挟まれ（ａ）に比べ圧縮される。
【００２０】
次に図５（ｃ）では、扉２が回転軸６ａ方向にさらに押し下げられた状態の図である。扉側軸ガイド１２ａより下部にあった回転軸６ａの遊びの長さ以上扉が押し下げられた結果、扉側軸ガイド１２ａは回転軸６ａから外れる。
【００２１】
最後に図５（ｄ）では、（ｃ）の状態から扉２を、今度は回転軸６ｂ方向に押し上げた図である。扉側軸ガイド１２ｂが回転軸６ｂから引き抜かれ、扉２の取り外しが完了する。
【００２２】
以上のように、本実施の形態によるエレベータの操作盤は、扉側軸ガイドが回転軸が貫通可能な孔を有し、扉を回転軸と平行に動かせるように構成したため、回転軸から扉側軸ガイドの孔を挿脱して、扉とエレベータの操作盤とを係合・解除して扉が着脱可能になり、長時間連続で操作ボックスの扉を開放する場合は、扉を取り外して作業ができるので効率が上がる。
【００２３】
【発明の効果】
この発明にかかるエレベータの操作盤は、開口部を有し、該開口部に操作ボックスが埋設されたエレベータの操作盤表板と、開口部に軸着され、閉じたときは開口部を覆い、操作盤に向かって手前側に引いて開ける操作ボックスの扉と、前記扉が開いた状態で扉が閉じる方向にトルクを生じる付勢手段と、を有するため、人や物が当たることがなくなり、乗り降りの際にも操作ボックスの扉が破損しない。
【図面の簡単な説明】
【図１】本発明の実施の形態１によるエレベータの操作盤の正面図である。
【図２】本発明の実施の形態１によるエレベータの操作盤の透過図である。
【図３】本発明の実施の形態１によるエレベータの操作盤の断面図である。
【図４】本発明の実施の形態１によるエレベータの操作盤の断面図である。
【図５】本発明の実施の形態２による操作ボックス扉の脱着手順図である。
【符号の説明】
１  エレベーターのかご操作盤、２  扉、３  シリンダー錠、４  操作ボックス、５  スイッチ、６ａ  上部の回転軸、６ｂ  下部の回転軸、７ａ  上部の盤側軸ガイド、７ｂ  下部の盤側軸ガイド、８  トーションバネ、８ａ  トーションバネ上端、８ｂ  トーションバネ下端、９  圧縮バネ、１０  鍵、１１  ガイド、１２ａ  上部の扉側軸ガイド、１２ｂ  下部の扉側軸ガイド、１３  シリンダー矢、１４  留め金具、１９  操作パネル、２０  ボトムカバー
【図１】
2004161397.tif 000003
【図２】
2004161397.tif 000004
【図３】
2004161397.tif 000005
【図４】
2004161397.tif 000006
【図５】
2004161397.tif 000007